(57)【特許請求の範囲】
【請求項１】
特定のフォーマットとそれ以外のフォーマットのいずれかのデジタルデータストリームが変調されたデジタル放送を受信するデジタル放送受信装置において、
前記デジタル放送の受信信号から前記デジタルデータストリームを復調する復調部と、
前記復調部が復調したデジタルデータストリームのフォーマットを判定する判定部と、
前記判定部が前記特定のフォーマット以外であると判定した場合に、当該フォーマットのデジタルデータストリームに対して前記特定のフォーマットを示す付加情報を付加する情報付加部と、
前記付加情報に基づいて前記特定のフォーマットとみなして、当該デジタルデータストリームに圧縮されたコンテンツデータを伸長する伸長部とを備えたことを特徴とするデジタル放送受信装置。
【請求項２】
前記特定のフォーマットは、ＭＰＥＧ２−ＴＳフォーマットであることを特徴とする請求項１記載のデジタル放送受信装置。
【請求項３】
前記付加情報は、前記特定のフォーマットのヘッダ情報であることを特徴とする請求項１記載のデジタル放送受信装置。
【請求項４】
特定のフォーマットのデジタルデータストリームが変調されたデジタル放送とそれ以外のフォーマットでサービス情報が多重されたデジタルデータストリームが変調されたデジタル放送とのいずれかを受信するデジタル放送受信装置において、
前記デジタル放送の受信信号から前記デジタルデータストリームを復調する復調部と、
前記復調部が復調したデジタルデータストリームのフォーマットを判定する判定部と、
外部からの指定入力が可能な入力部と、
前記判定部が前記特定のフォーマット以外であると判定した場合、当該デジタルデータストリームに多重されている前記サービス情報のうち、前記入力部で指定されたサービス情報を選択するサービス選択部と、
前記サービス選択部により複数のサービス情報が選択された場合には、これらを多重化したデジタルデータストリームとして出力する多重化部と、
前記多重化部から出力された前記デジタルデータストリームに対して前記特定のフォーマットを示す付加情報を付加する情報付加部と、
前記付加情報に基づいて前記特定のフォーマットとみなして、当該デジタルデータストリームに圧縮されたコンテンツデータを伸長する伸長部とを備えたことを特徴とするデジタル放送受信装置。
【請求項５】
特定のフォーマットとそれ以外のフォーマットのいずれかのデジタルデータストリームが変調されたデジタル放送を受信するデジタル放送受信方法において、
前記デジタル放送の受信信号からデジタルデータストリームを復調するステップと、
復調された前記デジタルデータストリームのフォーマットを判定するステップと、
前記特定のフォーマット以外と判定されたデジタルデータストリームに対して前記特定のフォーマットを示す付加情報を付加するステップと、
前記付加情報に基づいて前記特定のフォーマットとみなして、当該デジタルデータストリームに圧縮されたコンテンツデータを伸長するステップとを備えたことを特徴とするデジタル放送受信方法。
【請求項６】
特定のフォーマットのデジタルデータストリームが変調されたデジタル放送とそれ以外のフォーマットでサービス情報が多重されたデジタルデータストリームが変調されたデジタル放送とのいずれかを受信するデジタル放送受信方法において、
前記デジタル放送の受信信号からデジタルデータストリームを復調するステップと、
復調された前記デジタルデータストリームのフォーマットを判定するステップと、
前記特定のフォーマット以外であると判定された場合に、当該デジタルデータストリームに多重されている前記サービス情報のうち、指定されたサービス情報を選択するステップと、
複数のサービス情報が選択された場合には、これらを多重化したデジタルデータストリームとして出力するステップと、
生成された前記デジタルデータストリームに対して前記特定のフォーマットを示す付加情報を付加するステップと、
前記付加情報に基づいて前記特定のフォーマットとみなして、当該デジタルデータストリームに圧縮されたコンテンツデータを伸長するステップとを備えたことを特徴とするデジタル放送受信方法。
【発明の詳細な説明】
【技術分野】
【０００１】
この発明は、例えば、ＭＰＥＧ（Ｍｏｖｉｎｇ  Ｐｉｃｔｕｒｅ  Ｃｏｄｉｎｇ  Ｅｘｐｅｒｔｓ  Ｇｒｏｕｐ）２−ＴＳ（Ｔｒａｎｓｐｏｒｔ  Ｓｔｒｅａｍ）フォーマットとそれ以外のフォーマットのデジタルデータストリームが変調されているデジタル放送を受信するデジタル放送受信装置およびデジタル放送受信方法に関する。
【背景技術】
【０００２】
例えば、特許文献１には、光ディスクに記録されたＭＰＥＧ２−ＰＳ（Ｐｒｏｇｒａｍ  Ｓｔｒｅａｍ）を、ＩＥＥＥ１３９４インタフェースを経由して外部機器へ転送するために、ＩＥＥＥ１３９４が規定するＭＰＥＧ２−ＴＳに変換する技術が提案されている。
なお、特許文献１では、ＭＰＥＧ２−ＰＳからＭＰＥＧ２−ＴＳへの変換を簡易に行うことを目的として、ＭＰＥＧ２−ＰＳの時間情報を、ＭＰＥＧ２−ＴＳへの変換を考慮した時間情報に置き換えて光ディスクに記録している。
【先行技術文献】
【特許文献】
【０００３】
【特許文献１】国際公開第２００４／０３０３５８号
【発明の概要】
【発明が解決しようとする課題】
【０００４】
特許文献１に代表される従来の技術においては、元のストリーム自体を変更している。このため、デジタル放送のように、放送局から伝送される元のストリームを変更することができないメディアに対しては有効でない。【０００５】
また、ＭＰＥＧ２−ＴＳフォーマットに加え、それ以外のフォーマットとして、例えば欧州ＤＶＢ（Ｄｉｇｉｔａｌ  Ｖｉｄｅｏ  Ｂｒｏａｄｃａｓｔｉｎｇ）−Ｔ２（Ｔｅｒｒｅｓｔｒｉａｌ２）のＧＳＥ（Ｇｅｎｅｒｉｃ  Ｓｔｒｅａｍ  Ｅｎｃａｐｓｕｌａｔｉｏｎ）またはＧＣＳ（Ｇｅｎｅｒｉｃ  Ｃｏｎｔｉｎｕｏｕｓ  Ｓｔｒｅａｍ）などのフォーマットのデジタルデータストリームが変調されたデジタル放送を受信するデジタル放送受信装置がある。
このような受信装置において、従来では、フォーマット種別ごとにデジタルデータストリームを処理していたため、デジタル放送の受信信号からデジタルデータストリームを復調する放送波復調ＬＳＩと、デジタルデータストリームに圧縮された映像や音声のコンテンツデータを伸長する映像音声伸長ＬＳＩの間のインタフェースが、デジタルデータストリームのフォーマットごとに必要であった。
例えば、放送波復調ＬＳＩと映像音声伸長ＬＳＩのインタフェースとして、ＭＰＥＧ２−ＴＳフォーマット用の端子と、ＧＳＥなどのフォーマット用にシリアル通信端子が必要である。このため、受信装置の回路が複雑化しかつコストアップにも繋がっていた。【０００６】
なお、特定のフォーマット以外のフォーマットを、特定のフォーマットにフォーマット変換することも考えられる。しかしながら、特定のフォーマットに完全に変換する構成では、上記と同様に回路の複雑化を招き、コストアップに繋がる可能性が高い。
また、デジタル放送受信装置では、上述したように放送元のストリームを変換できないので、特許文献１のように元のストリームを変更する技術は適用できず、上記課題を解決できない。【０００７】
この発明は、上記のような課題を解決するためになされたもので、特定のフォーマット以外のデジタルデータストリームを簡易な構成で特定のフォーマットとみなして扱うことができるデジタル放送受信装置およびこの装置におけるデジタル放送受信方法を得ることを目的とする。
【課題を解決するための手段】
【０００８】
この発明に係るデジタル放送受信装置は、特定のフォーマットとそれ以外のフォーマットのいずれかのデジタルデータストリームが変調されたデジタル放送を受信するデジタル放送受信装置において、デジタル放送の受信信号からデジタルデータストリームを復調する復調部と、復調部が復調したデジタルデータストリームのフォーマットを判定する判定部と、判定部が特定のフォーマット以外であると判定した場合に、当該フォーマットのデジタルデータストリームに対して特定のフォーマットを示す付加情報を付加する情報付加部と、付加情報に基づいて特定のフォーマットとみなして、当該デジタルデータストリームに圧縮されたコンテンツデータを伸長する伸長部とを備えたことを特徴とする。
【発明の効果】
【０００９】
この発明によれば、特定のフォーマット以外のデジタルデータストリームを簡易な構成で特定のフォーマットとみなして扱うことができるという効果がある。
【図面の簡単な説明】
【００１０】
【図１】この発明の実施の形態１に係るデジタル放送受信装置の構成を示すブロック図である。
【図２】実施の形態１に係るデジタル放送受信方法を示すフローチャートである。
【図３】実施の形態１における擬似フォーマット変換を説明する図である。
【図４】この発明の実施の形態２に係るデジタル放送受信装置の構成を示すブロック図である。
【図５】実施の形態２に係るデジタル放送受信方法を示すフローチャートである。
【図６】実施の形態２における擬似フォーマット変換を説明する図である。
【発明を実施するための形態】
【００１１】
以下、この発明をより詳細に説明するため、この発明を実施するための形態について、添付の図面に従って説明する。
実施の形態１．
デジタル放送受信装置は、一般的に、デジタル放送の受信信号に変調されているデジタルデータストリームを復調する放送波復調ＬＳＩと、デジタルデータストリームに圧縮された映像や音声のコンテンツデータを伸長する映像音声伸長ＬＳＩとを備えて構成されている。
また、欧州ＤＶＢ−Ｔ２では、ＭＰＥＧ２−ＴＳに加え、ＭＰＥＧ２−ＴＳとは異なるフォーマットであるＧＳＥまたはＧＣＳなどのデータも同時に伝送する場合がある。
【００１２】
従来のデジタル放送受信装置において、ＭＰＥＧ２−ＴＳフォーマット以外のデジタルデータストリームについては、放送波復調ＬＳＩと映像音声伸長ＬＳＩとの間でＳＰＩ（Ｓｅｒｉａｌ  Ｐｅｒｉｐｈｅｒａｌ  Ｉｎｔｅｒｆａｃｅ）などのシリアル通信インタフェースを利用していた。
一方、ＭＰＥＧ２−ＴＳは主に複数の番組を伝送するデジタル放送に利用されており、ＭＰＥＧ２−ＴＳ方式の入力インタフェースは、一般的なデジタル放送受信装置に常設されている。
【００１３】
しかしながら、ＳＰＩなどのシリアル通信インタフェースは、ＭＰＥＧ２−ＴＳ方式を想定している一般的なデジタル放送受信装置には搭載されていない。
このため、従来では、ＭＰＥＧ２−ＴＳフォーマットとそれ以外のフォーマットを扱う場合、放送波復調ＬＳＩと映像音声伸長ＬＳＩとのインタフェースとして、ＳＰＩなどのシリアル通信インタフェースを搭載する必要があり、ＭＰＥＧ２−ＴＳのインタフェースのみを有する安価なＬＳＩを使用できなかった。
【００１４】
そこで、この発明では、ＭＰＥＧ２−ＴＳなどの特定のフォーマット以外のデジタルデータストリームに対して特定のフォーマットを示す付加情報を付加することにより、当該デジタルデータストリームを特定のフォーマットとみなして扱う。
このようにすることで、特定のフォーマットのインタフェースのみを有する簡易で安価なＬＳＩを使用することが可能となる。以下、実施の形態１に係るデジタル放送受信装置について説明する。
【００１５】
図１は、この発明の実施の形態１に係るデジタル放送受信装置の構成を示すブロック図である。図１に示すデジタル放送受信装置は、特定のフォーマットと、それ以外のフォーマットとのいずれかのデジタルデータストリームが変調されたデジタル放送を受信するデジタル放送受信装置である。ここでは、映像および音声の圧縮伝送方式として、デジタル放送に一般的に利用されているＭＰＥＧ２システムのＭＰＥＧ２−ＴＳフォーマットを、特定のフォーマットとする。また、それ以外のフォーマットとしては、欧州ＤＶＢ−Ｔ２のＧＳＥストリームのフォーマットを例に挙げる。
【００１６】
また、図１に示すデジタル放送受信装置は、アンテナ１、チューナ部２、放送波復調ＬＳＩ３および映像音声伸長ＬＳＩ４を備えて構成される。
チューナ部２は、アンテナ１を介してチューニング周波数のデジタル放送波を受信して中間周波数信号に変換する。
放送波復調ＬＳＩ３は、チューナ部２で中間周波数信号に変換されたデジタル放送波の受信信号からデジタルデータストリームを復調するＬＳＩであり、その機能構成として、放送波復調部３０、ストリーム種別判定部３１、出力選択部３２およびＭＰＥＧ２−ＴＳヘッダ情報付加部３３を備える。
【００１７】
放送波復調部３０は、チューナ部２の出力信号（中間周波数信号）からデジタルデータストリームを復調する復調部である。
ストリーム種別判定部３１は、放送波復調部３０が復調したデジタルデータストリームのデータ出力形式、すなわちフォーマットを判定する判定部である。このストリーム種別判定部３１が、受信信号から復調されたデジタルデータストリームがＭＰＥＧ２−ＴＳフォーマットであるのか、それ以外のフォーマットであるのかを判定する。
【００１８】
出力選択部３２は、映像音声伸長ＬＳＩ４へ出力すべきデジタルデータを選択し、ＭＰＥＧ２−ＴＳ端子３４を介して映像音声伸長ＬＳＩ４へ出力する出力選択部である。
また、出力選択部３２は、ＭＰＥＧ２−ＴＳフォーマット以外のデジタルデータストリームを出力する場合、上記ヘッダ情報が付加されたデジタルデータストリームを選択してＭＰＥＧ２−ＴＳフォーマットのストリームとして出力する。
このようにすることで、この発明では、放送波復調ＬＳＩ３と映像音声伸長ＬＳＩ４との間のインタフェースをＭＰＥＧ２−ＴＳ端子３４のみとすることができる。
【００１９】
ＭＰＥＧ２−ＴＳヘッダ情報付加部３３は、ストリーム種別判定部３１がＭＰＥＧ２−ＴＳフォーマット以外であると判定したデジタルデータストリームに対してＭＰＥＧ２−ＴＳのヘッダ情報を付加する情報付加部である。なお、ヘッダ情報は、ＭＰＥＧ２−ＴＳフォーマットに従った構造を有するヘッダ情報である。例えば、通常のＭＰＥＧ２−ＴＳのヘッダ情報における、ＭＰＥＧ２−ＴＳパケットの先頭を示す同期バイト、ＭＰＥＧ２−ＴＳパケットの個別ストリームの属性を示すＰＩＤ（Ｐｒｏｇｒａｍ  ＩＤ）、ＭＰＥＧ２−ＴＳパケットに欠落がないかを検査するための巡回カウンタを含んで構成される。
【００２０】
なお、ストリーム種別判定部３１、出力選択部３２およびＭＰＥＧ２−ＴＳヘッダ情報付加部３３は、放送波復調ＬＳＩ３における専用回路としてそれぞれ構成してもよいが、放送波復調ＬＳＩ３のマイコンがプログラムを実行することにより、ソフトウエアとして実現してもよい。
【００２１】
映像音声伸長ＬＳＩ４は、入力したデジタルデータストリームに圧縮されている映像や音声のコンテンツデータを伸長する伸長部である。
また、映像音声伸長ＬＳＩ４は、ＭＰＥＧ２−ＴＳフォーマット以外のデジタルデータストリームを入力した場合に、上記ヘッダ情報に基づいてＭＰＥＧ２−ＴＳフォーマットとみなして当該デジタルデータストリームに圧縮されたコンテンツデータを伸長する。
【００２２】
次に動作について説明する。
図２は、実施の形態１に係るデジタル放送受信方法を示すフローチャートであり、この図に沿ってＭＰＥＧ２−ＴＳフォーマットとＧＳＥフォーマットのストリームを扱う処理を説明する。また、デジタル放送受信装置の構成については図１を参照する。
まず、アンテナ１で受信されたデジタル放送波の受信信号は、チューナ部２で中間周波数信号に変換される。この中間周波数信号は、放送波復調ＬＳＩ３へ入力される。
放送波復調ＬＳＩ３において、放送波復調部３０は、中間周波数信号からデジタルデータストリームを復調する。
【００２３】
ストリーム種別判定部３１は、放送波復調部３０が復調したデジタルデータストリームがＭＰＥＧ２−ＴＳフォーマットであるか否かを判定する（ステップＳＴ１）。例えば、ストリームに含まれるヘッダ情報を確認することにより、ＭＰＥＧ２−ＴＳフォーマットであるか、ＧＳＥストリームのフォーマットであるかが判定される。
復調されたデジタルデータストリームがＭＰＥＧ２−ＴＳフォーマットである場合（ステップＳＴ１；ＹＥＳ）、ストリーム種別判定部３１は、このデジタルデータストリームを出力選択部３２に出力する。
一方、ＭＰＥＧ２−ＴＳフォーマットでない場合（ステップＳＴ１；ＮＯ）、ストリーム種別判定部３１は、このデジタルデータストリームをＭＰＥＧ２−ＴＳヘッダ情報付加部３３に出力する。
【００２４】
ＭＰＥＧ２−ＴＳヘッダ情報付加部３３は、ＭＰＥＧ２−ＴＳフォーマット以外と判定されたデジタルデータストリームに対して、図３に示すようにＭＰＥＧ２−ＴＳのヘッダ情報を付加（ステップＳＴ２）し、出力選択部３２に出力する。
図３（ａ）は、ＤＶＢ−Ｔ２のフレーム構造を示している。図３（ａ）に示すように、ＧＳＥストリームは、ベースバンド（ＢＢ）フレームのデータフィールドにＧＳＥヘッダとＧＳＥデータフィールドが多重されている。
ＭＰＥＧ２−ＴＳヘッダ情報付加部３３は、図３（ｂ）に示すようにＭＰＥＧ２−ＴＳのヘッダ情報（ＴＳヘッダ）と追加情報（Ａｄｄｉｔｏｎａｌ  Ｉｎｆｏ）とを、ＧＳＥストリームの先頭（ＧＳＥヘッダの前）に挿入することで、１８８バイト単位の擬似的なＭＰＥＧ２−ＴＳパケットを再構築する。これにより、ＭＰＥＧ２−ＴＳフォーマット以外のストリームもＭＰＥＧ２−ＴＳとして扱えるようになる。
【００２５】
ＭＰＥＧ２−ＴＳのヘッダ情報（ＴＳヘッダ）は、上述した同期バイト、ＰＩＤ、巡回カウンタを含む情報である。
また、追加情報は、元のデータのフォーマットを示す情報や元のデータを分割した位置を示す情報を含んだ情報である。
なお、図３（ｂ）の例では、ＴＳヘッダおよび追加情報を付加情報として付加する場合を示したが、ＴＳヘッダを解析すればデータストリームをＭＰＥＧ２−ＴＳとして扱えるため、ＴＳヘッダのみを追加してもよい。
【００２６】
図２の説明に戻る。
出力選択部３２は、ＭＰＥＧ２−ＴＳフォーマット以外のデジタルデータストリームを出力対象として選択した場合（入力＝ＭＰＥＧ２−ＴＳ以外）、ＭＰＥＧ２−ＴＳヘッダ情報付加部３３によってヘッダ情報が付加されたデジタルデータストリームを、ＭＰＥＧ２−ＴＳ端子３４から出力する（ステップＳＴ３）。
また、出力選択部３２は、ＭＰＥＧ２−ＴＳフォーマットのデジタルデータストリームを出力対象として選択した場合（入力＝ＭＰＥＧ２−ＴＳ）、このデジタルデータストリームをそのままＭＰＥＧ２−ＴＳ端子３４から出力する（ステップＳＴ４）。
【００２７】
この後、映像音声伸長ＬＳＩ４は、ＭＰＥＧ２−ＴＳフォーマット以外のデジタルデータストリームを入力した場合、これに付加されているヘッダ情報を解析してＰＩＤなどを判別し、このデジタルデータストリームをＭＰＥＧ２−ＴＳフォーマットとみなして適切な伸長回路を選択する。この伸長回路によってデジタルデータストリームからビデオ信号やオーディオ信号が伸長される。ビデオ信号やオーディオ信号は、不図示の後段の機器に出力されてユーザに提示される。
なお、例えば、ＭＰＥＧ２−ＴＳ以外にＧＳＥストリームを扱う場合に、映像音声伸長ＬＳＩ４が、ＭＰＥＧ２−ＴＳ端子３４を介して入力されたデジタルデータストリームのヘッダ情報に基づいて、このストリームがＭＰＥＧ２−ＴＳフォーマットであるとみなすが、ＧＳＥのヘッダ情報を解析した後はＧＳＥのストリームとして伸長処理を行う。
【００２８】
映像音声伸長ＬＳＩ４は、ＭＰＥＧ２−ＴＳフォーマットのデジタルデータストリームを入力した場合、このストリームに元々含まれるヘッダ情報を解析してＰＩＤなどを判別し、このデジタルデータストリームをＭＰＥＧ２−ＴＳフォーマットとみなして適切な伸長回路を選択する。これ以降の処理は、ＭＰＥＧ２−ＴＳフォーマット以外の場合と同様である。
【００２９】
以上のように、この実施の形態１によれば、デジタル放送の受信信号からデジタルデータストリームを復調する放送波復調部３０と、放送波復調部３０が復調したデジタルデータストリームのフォーマットを判定するストリーム種別判定部３１と、ストリーム種別判定部３１がＭＰＥＧ２−ＴＳフォーマット以外であると判定した場合に、当該フォーマットのデジタルデータストリームに対してＭＰＥＧ２−ＴＳのヘッダ情報を付加するＭＰＥＧ２−ＴＳヘッダ情報付加部３３と、ＭＰＥＧ２−ＴＳフォーマット以外のデジタルデータストリームを入力した場合に、ヘッダ情報に基づいてＭＰＥＧ２−ＴＳフォーマットとみなして、当該デジタルデータストリームに圧縮されたコンテンツデータを伸長する映像音声伸長ＬＳＩ４とを備える。
このように構成することで、ＭＰＥＧ２−ＴＳフォーマット以外のデジタルデータストリームを簡易な構成でＭＰＥＧ２−ＴＳフォーマットとみなして扱うことができる。
従って、ＭＰＥＧ２−ＴＳ方式の入力インタフェースしか持たない安価な映像音声伸長ＬＳＩを使用でき、受信装置のコストを低減することが可能である。
【００３０】
なお、実施の形態１では、特定のフォーマットをＭＰＥＧ２−ＴＳフォーマットとした場合を示したが、これに限定されるものではない。すなわち、デジタル放送に利用されるその他の圧縮伝送方式のフォーマットを特定のフォーマットとしてもよい。
【００３１】
また、実施の形態１では、特定のフォーマットであることを示す付加情報として、特定のフォーマットのヘッダ情報を用いる場合を示したが、図３（ｂ）に示すように、ヘッダ情報と追加情報を上記付加情報としてもよく、ヘッダ情報以外であっても特定のフォーマットであることを示す情報であればよい。
【００３２】
実施の形態２．
図４は、この発明の実施の形態２に係るデジタル放送受信装置の構成を示すブロック図である。図４に示すデジタル放送受信装置は、実施の形態１と同様に、特定のフォーマットとしてＭＰＥＧ２−ＴＳフォーマットの放送を受信可能であって、さらに、ＣＭＭＢ（Ｃｈｉｎａ  Ｍｏｂｉｌｅ  Ｍｕｌｔｉｍｅｄｉａ  Ｂｒｏａｄｃａｓｔｉｎｇ）のように、上記特定のフォーマット以外のフォーマットでサービス情報が時分割多重された放送方式のデジタル放送も受信可能な受信装置である。
【００３３】
また、図４のデジタル放送受信装置は、アンテナ１、チューナ部２、放送波復調ＬＳＩ３Ａおよび映像音声伸長ＬＳＩ４を備えて構成される。
放送波復調ＬＳＩ３Ａには、実施の形態１で示した放送波復調ＬＳＩ３の構成に対してサービス選択部３５、サービス多重化部３６および入力部３７が追加されている。
なお、ストリーム種別判定部３１、出力選択部３２およびＭＰＥＧ２−ＴＳヘッダ情報付加部３３は実施の形態１と同様に動作するので説明を省略する。
【００３４】
サービス選択部３５は、ストリーム種別判定部３１によってＭＰＥＧ２−ＴＳフォーマット以外と判定されたデジタルデータストリーム（ここでは、ＣＭＭＢのストリーム）に時分割多重されているサービス情報のうち、入力部３７を用いて指定されたサービス情報を選択する。サービス情報には、例えばＣＭＭＢの場合、番組情報、映像情報、緊急情報などがある。
【００３５】
サービス多重化部３６は、サービス選択部３５に選択されたサービス情報からデジタルデータストリームを生成するとともに、複数のサービス情報が選択された場合は、これらを時分割多重化してデジタルデータストリームを生成する多重化部である。これにより、サービス選択部３５に選択されたサービス情報のみを再び時分割多重したデジタルデータストリームが生成される。
【００３６】
入力部３７は、外部からの指定入力が可能な入力部であって、デジタル放送受信装置が備える入力装置およびその制御ソフトウエアで実現される。例えば、サービス選択部３５が、デジタルデータストリームに多重化されたサービス情報をユーザに提示（選択画面の表示など）し、これに応じて入力部３７でサービス情報を指定してもよい。
【００３７】
なお、ストリーム種別判定部３１、出力選択部３２、ＭＰＥＧ２−ＴＳヘッダ情報付加部３３、サービス選択部３５、サービス多重化部３６、および入力部３７は、放送波復調ＬＳＩ３Ａにおける専用回路としてそれぞれ構成してもよいが、放送波復調ＬＳＩ３Ａのマイコンがプログラムを実行することにより、ソフトウエアとして実現してもよい。
【００３８】
次に動作について説明する。
図５は、実施の形態２に係るデジタル放送受信方法を示すフローチャートであり、この図に沿ってＭＰＥＧ２−ＴＳフォーマットとＣＭＭＢストリームを扱う処理を説明する。また、デジタル放送受信装置の構成については図４を参照する。
まず、アンテナ１で受信されたデジタル放送波の受信信号は、チューナ部２で中間周波数信号に変換される。この中間周波数信号は、放送波復調ＬＳＩ３Ａへ入力される。
放送波復調ＬＳＩ３Ａにおいて、放送波復調部３０は、中間周波数信号からデジタルデータストリームを復調する。
【００３９】
ストリーム種別判定部３１は、放送波復調部３０が復調したデジタルデータストリームがＭＰＥＧ２−ＴＳフォーマットであるか否かを判定する（ステップＳＴ１ａ）。
復調されたデジタルデータストリームがＭＰＥＧ２−ＴＳフォーマットである場合（ステップＳＴ１ａ；ＹＥＳ）、ストリーム種別判定部３１は、このデジタルデータストリームをそのまま出力選択部３２に出力する。
一方、ＭＰＥＧ２−ＴＳフォーマットでない場合（ステップＳＴ１ａ；ＮＯ）、ストリーム種別判定部３１は、デジタルデータストリームに時分割多重されているサービス情報をサービス選択部３５に出力する。
【００４０】
次に、入力部３７がサービス情報の指定入力を受け付ける（ステップＳＴ２ａ）。これにより、選択されるべきサービス情報が指定される。例えば、ユーザが、入力部３７を用いて指定入力してもよく、入力部３７を用いて特定のサービス情報をあらかじめ指定しておいてもよい。
【００４１】
サービス選択部３５は、デジタルデータストリーム（ＣＭＭＢのストリーム）に時分割多重されていたサービス情報のうち、入力部３７を用いて指定されたサービス情報を選択してサービス多重化部３６に出力する（ステップＳＴ３ａ）。
このとき、サービス選択部３５は、選択したサービス情報が複数であるか否かを判定する（ステップＳＴ４ａ）。選択したサービス情報が１つである場合（ステップＳＴ４ａ；ＮＯ）、サービス選択部３５は、その旨をサービス多重化部３６に通知する。
複数のサービス情報を選択した場合（ステップＳＴ４ａ；ＹＥＳ）は、サービス選択部３５は、選択したサービス情報の数などをサービス多重化部３６に通知する。
【００４２】
サービス多重化部３６は、サービス選択部３５が複数のサービス情報を選択した場合、これらを再び時分割多重して１本のデジタルデータストリームを生成する（ステップＳＴ５ａ）。また、サービス選択部３５が選択したサービス情報が１つである場合は、サービス多重化部３６は、このサービス情報をそのまま用いてデジタルデータストリームを生成する。
【００４３】
ＭＰＥＧ２−ＴＳヘッダ情報付加部３３は、サービス多重化部３６が生成したデジタルデータストリームに対して、図６に示すように、ＭＰＥＧ２−ＴＳのヘッダ情報を付加（ステップＳＴ６ａ）し、出力選択部３２に出力する。
図６（ａ）は、ＣＭＭＢのフレーム構造を示している。実施の形態２では、ＭＰＥＧ２−ＴＳヘッダ情報付加部３３が、図６（ｂ）に示すようにＭＰＥＧ２−ＴＳのヘッダ情報（ＴＳヘッダ）と追加情報（Ａｄｄｉｔｏｎａｌ  Ｉｎｆｏ）を、ＣＭＭＢのストリームの先頭に挿入することで、擬似的なＭＰＥＧ２−ＴＳパケットを再構築する。
これにより、実施の形態１と同様に、ＭＰＥＧ２−ＴＳフォーマット以外のストリームもＭＰＥＧ２−ＴＳとして扱えるようになる。
【００４４】
ＭＰＥＧ２−ＴＳのヘッダ情報（ＴＳヘッダ）は、実施の形態１で示した同期バイト、ＰＩＤ、巡回カウンタを含む情報である。
また、追加情報は、元のデータのフォーマットを示す情報や元のデータを分割した位置を示す情報を含んだ情報である。
なお、図６（ｂ）の例では、ＴＳヘッダおよび追加情報を付加情報として付加する場合を示したが、ＴＳヘッダを解析すればデータストリームをＭＰＥＧ２−ＴＳとして扱えるため、ＴＳヘッダのみを追加してもよい。
【００４５】
図５の説明に戻る。
出力選択部３２は、実施の形態１と同様に、ＭＰＥＧ２−ＴＳフォーマット以外のデジタルデータストリームを出力対象として選択した場合（入力＝ＭＰＥＧ２−ＴＳ以外）、ＭＰＥＧ２−ＴＳヘッダ情報付加部３３によってヘッダ情報が付加されたデジタルデータストリームを、ＭＰＥＧ２−ＴＳ端子３４から出力する（ステップＳＴ７ａ）。
また、出力選択部３２は、ＭＰＥＧ２−ＴＳフォーマットのデジタルデータストリームを出力対象として選択した場合（入力＝ＭＰＥＧ２−ＴＳ）、このデジタルデータストリームをそのままＭＰＥＧ２−ＴＳ端子３４から出力する（ステップＳＴ８ａ）。
この後、映像音声伸長ＬＳＩ４による処理は、実施の形態１と同様である。
【００４６】
以上のように、この実施の形態２によれば、デジタル放送の受信信号からデジタルデータストリームを復調する放送波復調部３０と、放送波復調部３０が復調したデジタルデータストリームのフォーマットを判定するストリーム種別判定部３１と、外部からの指定入力が可能な入力部３７と、ストリーム種別判定部３１がＭＰＥＧ２−ＴＳフォーマット以外であると判定した場合、当該デジタルデータストリームに多重されているサービス情報のうち、入力部３７で指定されたサービス情報を選択するサービス選択部３５と、サービス選択部３５が選択したサービス情報からデジタルデータストリームを生成するとともに、複数のサービス情報が選択された場合には、これらを多重化してデジタルデータストリームを生成するサービス多重化部３６と、サービス多重化部３６が生成したデジタルデータストリームに対してＭＰＥＧ２−ＴＳフォーマットのヘッダ情報を付加するＭＰＥＧ２−ＴＳヘッダ情報付加部３３と、ＭＰＥＧ２−ＴＳフォーマット以外のデジタルデータストリームを入力した場合に、ヘッダ情報に基づいてＭＰＥＧ２−ＴＳフォーマットとみなして、当該デジタルデータストリームに圧縮されたコンテンツデータを伸長する映像音声伸長ＬＳＩ４とを備える。このように構成することで、復調されたデジタルデータストリームに多重（時分割多重）されたサービスのうち、複数のサービスに渡って関連情報が放送される放送方式を受信する場合においても、ＭＰＥＧ２−ＴＳ方式の入力インタフェースしか持たない安価な映像音声伸長ＬＳＩを使用でき、受信装置のコストを低減することが可能である。
【００４７】
なお、実施の形態２では、特定のフォーマットをＭＰＥＧ２−ＴＳフォーマットとした場合を示したが、これに限定されるものではない。すなわち、デジタル放送に利用されるその他の圧縮伝送方式のフォーマットを特定のフォーマットとしてもよい。
【００４８】
また、実施の形態２では、特定のフォーマットであることを示す付加情報として、特定のフォーマットのヘッダ情報を用いる場合を示したが、図６（ｂ）に示すように、ヘッダ情報と追加情報を上記付加情報としてもよく、ヘッダ情報以外であっても特定のフォーマットであることを示す情報であればよい。
【００４９】
なお、本発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００５０】
この発明に係るデジタル放送受信装置は、特定のフォーマット以外のデジタルデータストリームを簡易な構成で特定のフォーマットとみなして扱うことができるので、例えば、様々な放送方式の放送エリアに移動する可能性がある車載用デジタル放送受信装置に好適である。
【符号の説明】
【００５１】
１  アンテナ、２  チューナ部、３，３Ａ  放送波復調ＬＳＩ、４  映像音声伸長ＬＳＩ、３０  放送波復調部、３１  ストリーム種別判定部、３２  出力選択部、３３  ＭＰＥＧ２−ＴＳヘッダ情報付加部、３４  ＭＰＥＧ２−ＴＳ端子、３５  サービス選択部、３６  サービス多重化部、３７  入力部。
【図１】
0005717931.tif 000002
【図２】
0005717931.tif 000003
【図３】
0005717931.tif 000004
【図４】
0005717931.tif 000005
【図５】
0005717931.tif 000006
【図６】
0005717931.tif 000007